(57)【要約】【課題】カードリーダの制御部に記憶されるファームウェアが共通でも、顧客のニーズに応じた多様な発光色および発光方法でカードリーダの発光部を光らせることが可能なカード処理システムを提供する。【解決手段】カード処理システム１０は、カードリーダ１と、カード処理システム１０を制御する上位制御部１１とを備え、カードリーダ１は、複数色で発光可能な発光部１５を有するカード挿入部と、制御部３とを備えている。制御部３は、上位制御部１１に接続されるとともに、発光部１５の発光色および発光方法を制御する発光制御を行う。上位制御部１１には、発光部１５の発光色と発光方法との組合せを規定するとともに発光制御を行うための上位側発光用プログラムが記憶され、上位制御部１１は、上位側発光用プログラムに基づく発光用プログラムを制御部３に予め設定する。制御部３は、予め設定された発光用プログラムに基づいて発光制御を行う。【選択図】図１
2015170149.tif 000002
【特許請求の範囲】
【請求項１】
カードに記録されたデータの読取および前記カードへのデータの記録の少なくともいずれか一方を行うカードリーダが搭載されたカード処理システムであって、
前記カード処理システムを制御する上位制御部を備え、
前記カードリーダは、前記カードが挿入される挿入口が形成されるカード挿入部と、前記カードリーダを制御する制御部とを備え、
前記カード挿入部は、複数色で発光可能な発光部を備え、
前記制御部は、前記上位制御部に接続されるとともに、前記発光部の発光色および発光方法を制御する発光制御を行い、
前記上位制御部には、前記発光部の発光色と発光方法との組合せを規定するとともに前記発光制御を行うための上位側発光用プログラムが記憶され、
前記上位制御部は、前記上位側発光用プログラムに基づく発光用プログラムを前記制御部に予め設定し、
前記制御部は、予め設定された前記発光用プログラムに基づいて前記発光制御を行うことを特徴とするカード処理システム。
【請求項２】
前記カード挿入部は、正規の前記カードが正しい向きで前記挿入口から挿入されたことを検知するためのカード挿入検知機構を備え、
非正規の前記カードが前記挿入口から挿入されること、および、正規の前記カードが間違った向きで前記挿入口から挿入されることを不適切な前記カードの挿入とし、前記カード挿入検知機構での検知結果に基づいて不適切な前記カードの挿入が検知されたときの前記発光制御を行うための前記上位側発光用プログラムを上位側異常時発光用プログラムとし、前記上位側異常時発光用プログラムに基づいて前記制御部に予め設定される前記発光用プログラムを異常時発光用プログラムとすると、
前記上位制御部には、前記上位側異常時発光用プログラムが記憶され、
前記上位制御部は、前記上位側異常時発光用プログラムに基づく前記異常時発光用プログラムを前記制御部に予め設定し、
前記制御部は、前記カード挿入検知機構での検知結果に基づいて不適切な前記カードの挿入が検知されると、予め設定された前記異常時発光用プログラムに基づいて前記発光制御を行うことを特徴とする請求項１記載のカード処理システム。
【請求項３】
前記カード挿入検知機構での検知結果に基づいて不適切な前記カードの挿入が検知される直前の前記発光制御を行うための前記発光用プログラムを正常時発光用プログラムとすると、
前記制御部は、前記カード挿入検知機構での検知結果に基づいて不適切な前記カードの挿入が検知されると、前記正常時発光用プログラムを記憶した後に、予め設定された前記異常時発光用プログラムに基づいて前記発光制御を行うとともに、非正規の前記カードまたは間違った向きで挿入された正規の前記カードが抜き取られて、不適切な前記カードの挿入が検知されなくなると、記憶された前記正常時発光用プログラムに読み出し、読み出された前記正常時発光用プログラムに基づいて前記発光制御を行うことを特徴とする請求項２記載のカード処理システム。
【請求項４】
前記カード挿入検知機構は、前記カードの厚みを検知するための厚み検知機構と、前記カードの挿入方向に直交する方向における前記カードの幅を検知するための幅検知機構とを備えることを特徴とする請求項２または３記載のカード処理システム。
【請求項５】
前記カードは、略長方形状に形成され、
前記カードリーダは、前記カードの短手方向が前記カードの挿入方向となるように挿入された前記カードに対するデータの読取およびデータの記録の少なくともいずれか一方を行うことを特徴とする請求項２から４のいずれかに記載のカード処理システム。
【発明の詳細な説明】
【技術分野】
【０００１】
本発明は、カードリーダが搭載されたカード処理システムに関する。
【背景技術】
【０００２】
従来、ゲート口から挿入されたカードをカード搬送機構によって内部に取り込んで所定の処理を行うカードリーダが知られている（たとえば、特許文献１参照）。特許文献１に記載のカードリーダでは、カードリーダの内部へカードを案内するカード挿入ガイド体がゲート口に取り付けられている。カード挿入ガイド体は、光透過性材料からなるケースと、ケース内に収容される光源とを備えている。このカードリーダでは、カードが挿入されるゲート口が光るため、ゲート口の視認性を高めることが可能になる。
【０００３】
また、従来、特許文献１に記載されたカードリーダのようにゲート口が光るカードリーダとして、ゲート口から正規のカードが正しい向きで挿入されたことを検知するための検知機構を備えるカードリーダが利用されている。このカードリーダでは、非正規のカードが挿入されたり、正規のカードが間違った向きで挿入されたりすると、正規のカードが正しい向きで挿入されたときの発光色および発光方法と異なる発光色および発光方法で光源が光るようになっている。たとえば、正規のカードが正しい向きで挿入されたときには、光源が青色に点灯し、非正規のカードが挿入されたり、正規のカードが間違った向きで挿入されたりすると、光源が赤色に点滅する。このように、このカードリーダでは、非正規のカードが挿入されたり、正規のカードが間違った向きで挿入されたりしたときに、光源の発光色や発光方法を変えることで、ユーザに、正規のカードの正しい向きでの挿入を促している。
【０００４】
なお、この種のカードリーダでは、一般に、カードリーダの制御部に記憶されるファームウェア中の所定のプログラムに基づいて、光源の発光色や発光方法が制御されている。
【先行技術文献】
【特許文献】
【０００５】
【特許文献１】特開２００４−１８５５１３号公報
【発明の概要】
【発明が解決しようとする課題】
【０００６】
近年、特許文献１に記載されたカードリーダのようにゲート口が光るカードリーダに、多色多諧調で発光させることが可能な光源が使用されることがある。しかしながら、従来のカードリーダでは、カードリーダの制御部に記憶されるファームウェア中のプログラムに基づいて、光源の発光色や発光方法が制御されているため、多色多諧調で発光させることが可能な光源がカードリーダに使用されたとしても、光源の発光色や発光方法は、カードリーダごとに固定されてしまう。すなわち、従来のカードリーダでは、カードリーダを設置する銀行等の顧客ごとのニーズに応じた多様な発光色および発光方法で光源を光らせることが困難である。
【０００７】
一方、顧客のニーズに応じた発光色および発光方法で光源が光るように、ファームウェア中のプログラムを顧客ごとに作成すれば、顧客ごとのニーズに応じた多様な発光色および発光方法で光源を光らせることは可能である。しかしながら、この場合には、顧客ごとにファームウェアを作成しなければならず、ファームウェアの設計が煩雑になるとともに、カードリーダの製造管理や在庫管理も煩雑になる。
【０００８】
そこで、本発明の課題は、カードリーダの制御部に記憶されるファームウェアが共通でも、顧客のニーズに応じた多様な発光色および発光方法でカードリーダの発光部を光らせることが可能なカード処理システムを提供することにある。
【課題を解決するための手段】
【０００９】
上記の課題を解決するため、本発明のカード処理システムは、カードに記録されたデータの読取およびカードへのデータの記録の少なくともいずれか一方を行うカードリーダが搭載されたカード処理システムであって、カード処理システムを制御する上位制御部を備え、カードリーダは、カードが挿入される挿入口が形成されるカード挿入部と、カードリーダを制御する制御部とを備え、カード挿入部は、複数色で発光可能な発光部を備え、制御部は、上位制御部に接続されるとともに、発光部の発光色および発光方法を制御する発光制御を行い、上位制御部には、発光部の発光色と発光方法との組合せを規定するとともに発光制御を行うための上位側発光用プログラムが記憶され、上位制御部は、上位側発光用プログラムに基づく発光用プログラムを制御部に予め設定し、制御部は、予め設定された発光用プログラムに基づいて発光制御を行うことを特徴とする。
【００１０】
本発明のカード処理システムでは、上位制御部は、上位制御部に記憶された上位側発光用プログラムに基づく発光用プログラムをカードリーダの制御部に予め設定し、制御部は、予め設定された発光用プログラムに基づいて発光制御を行っている。そのため、本発明では、カードリーダの制御部に記憶されるファームウェアが共通でも、制御部は、上位制御部によって設定された発光用プログラムに基づいて、カードリーダの発光部を様々な発光色や発光方法で光らせることが可能になる。すなわち、本発明では、カードリーダの制御部に記憶されるファームウェアが共通でも、カード処理システムが設置される銀行等の顧客のニーズに応じた多様な発光色および発光方法で発光部を光らせることが可能になる。
【００１１】
なお、カードリーダの制御部に記憶されるファームウェアが共通であっても、上位制御部と制御部との間で都度通信を行って、カードリーダの発光部を様々な発光色や発光方法で光らせることで、顧客のニーズに応じた多様な発光色および発光方法で発光部を光らせることが可能になるが、この場合には、発光部が光るまでの時間が長くなる。すなわち、この場合には、発光部の応答性が低下する。これに対して本発明では、制御部に予め設定された発光用プログラムに基づいて制御部が発光制御を行っているため、発光部の応答性を高めることが可能になる。
【００１２】
本発明において、たとえば、カード挿入部は、正規のカードが正しい向きで挿入口から挿入されたことを検知するためのカード挿入検知機構を備え、非正規のカードが挿入口から挿入されること、および、正規のカードが間違った向きで挿入口から挿入されることを不適切なカードの挿入とし、カード挿入検知機構での検知結果に基づいて不適切なカードの挿入が検知されたときの発光制御を行うための上位側発光用プログラムを上位側異常時発光用プログラムとし、上位側異常時発光用プログラムに基づいて制御部に予め設定される発光用プログラムを異常時発光用プログラムとすると、上位制御部には、上位側異常時発光用プログラムが記憶され、上位制御部は、上位側異常時発光用プログラムに基づく異常時発光用プログラムを制御部に予め設定し、制御部は、カード挿入検知機構での検知結果に基づいて不適切なカードの挿入が検知されると、予め設定された異常時発光用プログラムに基づいて発光制御を行う。
【００１３】
この場合には、カードリーダの制御部に記憶されるファームウェアが共通でも、不適切なカードの挿入が検知されたときに、顧客のニーズに応じた多様な発光色および発光方法で発光部を光らせることが可能になる。また、異常時発光用プログラムが制御部に予め設定されておらず、カード挿入検知機構での検知結果に基づいて不適切なカードの挿入が検知されたときに、上位制御部が発光部の発光制御を行うとすると、遅延時間が長くなり、異常時発光用プログラムに基づく発光制御を直ちに開始することができないが、この場合には、異常時発光用プログラムが制御部に予め設定されており、カード挿入検知機構での検知結果に基づいて不適切なカードの挿入が検知されたときに、制御部が異常時発光用プログラムに基づく発光制御を行うため、異常時発光用プログラムに基づく発光制御を直ちに開始することが可能になる。したがって、カードリーダにカードを挿入する利用者のカード操作に同期した発光制御を行うことが可能になる。
【００１４】
本発明において、カード挿入検知機構での検知結果に基づいて不適切なカードの挿入が検知される直前の発光制御を行うための発光用プログラムを正常時発光用プログラムとすると、制御部は、カード挿入検知機構での検知結果に基づいて不適切なカードの挿入が検知されると、正常時発光用プログラムを記憶した後に、予め設定された異常時発光用プログラムに基づいて発光制御を行うとともに、非正規のカードまたは間違った向きで挿入された正規のカードが抜き取られて、不適切なカードの挿入が検知されなくなると、記憶された正常時発光用プログラムに読み出し、読み出された正常時発光用プログラムに基づいて発光制御を行うことが好ましい。このように構成すると、非正規のカードまたは間違った向きで挿入された正規のカードが抜き取られた後、正常時発光用プログラムに基づく発光制御を直ちに開始することが可能になる。したがって、カードリーダにカードを挿入する利用者のカード操作に同期した発光制御を行うことが可能になる。
【００１５】
本発明において、カード挿入検知機構は、たとえば、カードの厚みを検知するための厚み検知機構と、カードの挿入方向に直交する方向におけるカードの幅を検知するための幅検知機構とを備えている。
【００１６】
本発明において、たとえば、カードは、略長方形状に形成され、カードリーダは、カードの短手方向がカードの挿入方向となるように挿入されたカードに対するデータの読取およびデータの記録の少なくともいずれか一方を行う。この場合には、カードの長手方向がカードの挿入方向となるように挿入口からカードを挿入することが可能であるため、間違った向きでカードが挿入口から挿入されるおそれが高くなるが、間違った向きでカードが挿入口から挿入されても、発光部を光らせて、間違った向きでカードが挿入されたことをカードリーダの利用者に知らせることが可能になる。
【発明の効果】
【００１７】
以上のように、本発明のカード処理システムでは、カードリーダの制御部に記憶されるファームウェアが共通でも、顧客のニーズに応じた多様な発光色および発光方法でカードリーダの発光部を光らせることが可能になる。
【図面の簡単な説明】
【００１８】
【図１】本発明の実施の形態にかかるカード処理システムの概略構成を説明するためのブロック図である。
【図２】図１に示すカード処理システムを構成するカードリーダの斜視図である。
【図３】図２に示すカードの平面図である。
【図４】図１に示す発光部の発光制御の一例を説明するためのフローチャートである。
【発明を実施するための形態】
【００１９】
以下、図面を参照しながら、本発明の実施の形態を説明する。
【００２０】
（カード処理システムの概略構成）
図１は、本発明の実施の形態にかかるカード処理システム１０の概略構成を説明するためのブロック図である。図２は、図１に示すカード処理システム１０を構成するカードリーダ１の斜視図である。図３は、図２に示すカード２の平面図である。
【００２１】
本形態のカード処理システム１０は、カード２に記録されたデータの読取およびカード２へのデータの記録の少なくとも一方を行うカードリーダ１が搭載されたシステムであり、たとえば、銀行等に設置されて使用されるＡＴＭ（Ａｕｔｏｍａｔｅｄ  Ｔｅｌｌｅｒ  Ｍａｃｈｉｎｅ）である。このカード処理システム１０は、カードリーダ１に加えて、カード処理システム１０を制御する上位制御部１１を備えている。
【００２２】
カードリーダ１は、カードリーダ１を制御する制御部３を備えている。制御部３は、上位制御部１１に接続されている。また、カードリーダ１は、カード２が挿入される挿入口４が形成されるカード挿入部５を備えている。カードリーダ１の内部には、カード２が搬送されるカード搬送路が挿入口４に繋がるように形成されている。さらに、カードリーダ１は、カード２を搬送するカード搬送機構と、カード２に当接してカード２に記録された磁気データの読取やカード２への磁気データの記録を行う磁気ヘッドと、カード２の搬送方向に直交する方向へ磁気ヘッドを移動させるヘッド移動機構と、カード２に形成される後述の端子部２ｂに接触してデータの通信を行うためのＩＣ接点ブロックと、ＩＣ接点ブロックを移動させる接点ブロック移動機構とを備えている。
【００２３】
カード２は、厚さが０．７〜０．８ｍｍ程度の塩化ビニール製のカードである。本形態のカード２は、国際規格（たとえば、ＩＳＯ／ＩＥＣ７８１１）やＪＩＳ規格（たとえば、ＪＩＳＸ６３０２）に準拠した磁気ストライプ付きのカードであり、四隅に丸みを持った略長方形状に形成されている。カード２の裏面には、磁気データが記録される磁気ストライプ２ａが形成されている。また、カード２は、接触式のＩＣカードである。すなわち、カード２には、ＩＣチップ（図示省略）が内蔵され、カード２のおもて面には、８個の外部接続端子からなる端子部２ｂが形成されている。なお、カード２には、磁気ストライプ２ａが形成されていなくても良い。また、カード２には、ＩＣチップ（図示省略）が内蔵されていなくても良い。すなわち、カード２に端子部２ｂが形成されていなくても良い。
【００２４】
磁気ストライプ２ａは、略長方形状に形成されるカード２の長手方向（図３のＵ方向）に平行な細長い帯状に形成されている。この磁気ストライプ２ａは、カード２の長手方向の全域に形成されている。また、磁気ストライプ２ａは、カード２の短手方向（図３のＶ方向）において、カード２の短手方向における一端２ｄ側に形成されている。具体的には、国際規格やＪＩＳ規格に基づいて、磁気ストライプ２ａは、カード２の短手方向において、カード２の一端２ｄを基準とする所定の範囲内に形成されている。
【００２５】
端子部２ｂは、カード２の長手方向における一端側、かつ、カード２の短手方向における略中間位置に形成されている。端子部２ｂを構成する８個の外部接続端子は、カード２の短手方向において４行、かつ、カード２の長手方向において２列に配列されている。
【００２６】
本形態では、図２に示すＸ方向でカード２が搬送される。具体的には、Ｘ１方向にカード２が挿入されて取り込まれ、Ｘ２方向にカード２が排出される。すなわち、Ｘ方向は、カード２の搬送方向であり、Ｘ１方向は、カード２の挿入方向であり、Ｘ２方向は、カード２の排出方向である。また、本形態では、カード２の短手方向とＸ方向とが一致するように、カードリーダ１にカード２が取り込まれる。また、カード２の短手方向とＸ方向とが一致するように、カードリーダ１内でカード２が搬送される。すなわち、カードリーダ１は、カード２の短手方向がカード２の挿入方向となるように挿入されたカード２に対するデータの読取や記録を行う。
【００２７】
また、Ｘ方向に直交するＹ方向は、カード搬送路の幅方向であり、カードリーダ１内に正しい方向で取り込まれたカード２の長手方向である。また、Ｘ方向とＹ方向とに直交するＺ方向は、カード搬送路の高さ方向であり、カードリーダ１内に取り込まれたカード２の厚さ方向である。本形態では、Ｚ方向と鉛直方向とが一致するようにカードリーダ１が配置されている。以下の説明では、Ｘ方向を「前後方向」、Ｙ方向を「左右方向」、Ｚ方向を「上下方向」とする。なお、本形態では、磁気ヘッドは、カード搬送路の下側に配置されており、カード２の下側から磁気ストライプ２ａに当接する。また、ＩＣ接点ブロックは、カード搬送路の上側に配置されており、カード２の上側から端子部２ｂに接触する。
【００２８】
（カード挿入部の構成）
カード挿入部５は、カードリーダ１の前面側部分を構成している。このカード挿入部５は、複数色で発光可能な発光部１５を備えている。また、カード挿入部５は、挿入口４から挿入されるカード２の厚みを検知するための厚み検知機構１６と、左右方向におけるカード２の幅を検知するための幅検知機構１７と、カード２に磁気ストライプ２ａが形成されていることを検知するための磁気ヘッド（プリヘッド）１８と、カード２にＩＣチップの外部接続端子が固定されていること（すなわち、端子部２ｂが固定されていること）を検知するための金属検知機構１９とを備えている（図１参照）。
【００２９】
発光部１５は、図２に示すように、上下方向における挿入口４の両側に配置されている。また、発光部１５は、カードリーダ１の前面の一部を構成している。すなわち、発光部１５は、挿入口４の近傍に配置されている。この発光部１５は、光透過性材料からなるケース体２１と、ケース体２１の内部に収容される光源２２（図１参照）と、ケース体２１の内部に収容され光源２２の光を拡散させる導光板（図示省略）とを備えている。なお、発光部１５は、後述の発光用プログラムに応じた多色多諧調での発光、および、点灯点滅等の多様な発光が可能となっている。
【００３０】
光源２２は、ＬＥＤ光源であり、図示を省略する基板に実装されている。この光源２２は、制御部３に接続されており、制御部３は、点灯点滅等の光源２２の発光方法および光源２２の発光色を制御する発光制御を行う。具体的には、発光部１５には、光源２２として赤色のＬＥＤ光源、緑色のＬＥＤ光源および青色のＬＥＤ光源の３色のＬＥＤ光源が複数配設されており、制御部３は、この３色のＬＥＤ光源の点灯の組合せを変えることで色調を変化させている。また、本形態では、ケース体２１の内部の右端側および／または左端側に光源２２が配置され、左右方向におけるケース体２１の内部の略全域に導光板が配置されている。そのため、光源２２が光ると、左右方向における発光部１５の全体が光る。なお、左右方向におけるケース体２１の内部の略全域に複数の光源２２が所定の間隔で配置されても良い。この場合には、導光板が不要になる。また、光源２２は、ＬＥＤ光源以外の光源でも良い。
【００３１】
厚み検知機構１６は、たとえば、カード搬送路に配置されてカード搬送路を閉鎖する閉鎖位置と、カード搬送路を通過するカード２が接触するとカード搬送路の下側に退避してカード搬送路を開放する開放位置との間で移動可能な可動部材と、可動部材を閉鎖位置に向かって付勢する付勢部材と、可動部材の動きを検知するセンサとを備えている。この厚み検知機構１６では、正規の厚みを有するカード２が挿入口４から挿入されると、センサによって可動部材の動きが検知されるが、正規の厚みよりも薄いカード２が挿入口４から挿入されても、センサによって可動部材の動きが検知されない。そのため、センサでの検知結果に基づいて、正規の厚みを有するカード２が挿入口４から挿入されたか否かを検知することができる。
【００３２】
幅検知機構１７は、たとえば、カード挿入部５の左右の両端側に配置されカード搬送路に出没可能な２個の検知レバーと、２個の検知レバーのそれぞれの動きを検知する２個のセンサとを備えている。カードリーダ１にカード２が挿入される前の待機時には、検知レバーの一部がカード搬送路内に配置されている。この状態で、カード２の短手方向が前後方向と一致するようにカード２が挿入口４から挿入されると、２個の検知レバーのそれぞれにカード２の左右両端のそれぞれが接触して、検知レバーが回動し、センサによって検知レバーの回動が検知される。一方、カード２の長手方向が前後方向と一致するようにカード２が挿入口４から挿入されても、あるいは、短手方向の幅が正規の幅よりも狭いカード２が挿入口４から挿入されても、少なくとも一方の検知レバーの回動がセンサによって検知されない。そのため、２個のセンサでの検知結果に基づいて、短手方向の幅が正規の幅となっているカード２が、その短手方向と前後方向とが一致するように挿入口４から挿入されたか否かを検知することができる。すなわち、２個のセンサでの検知結果に基づいて、短手方向の幅が正規の幅となっているカード２が正しい向きで挿入されたか否かを検知することができる。
【００３３】
本形態では、厚み検知機構１６と幅検知機構１７とによって、正規のカード２が正しい向きで挿入口４から挿入されたことを検知するためのカード挿入検知機構が構成されている。
【００３４】
磁気ヘッド１８の出力信号は、磁気ストライプ２ａが形成されたカード２が挿入口４から挿入され、磁気ストライプ２ａが磁気ヘッド１８に接触するようにカード２が搬送されると変動する。そのため、磁気ヘッド１８での検知結果に基づいて、カード２に磁気ストライプ２ａが形成されているか否かを検知することが可能である。
【００３５】
金属検知機構１９は、励磁用コイルと、検出用コイルと、励磁用コイルおよび検出用コイルが巻回されるコアとを備える磁気式のセンサである。金属検知機構１９は、左右方向において、正しい向きで挿入されたカード２の端子部２ｂが通過する位置に配置されている。金属検知機構１９の出力信号は、端子部２ｂが形成されたカード２が挿入口４から挿入されると変動する。そのため、金属検知機構１９での検知結果に基づいて、カード２に端子部２ｂが形成されているか否かを検知することが可能である。
【００３６】
（発光部の発光制御）
図４は、図１に示す発光部１５の発光制御の一例を説明するためのフローチャートである。
【００３７】
カード処理システム１０では、上位制御部１１に、発光部１５の発光色および発光方法との組合せを規定するとともに制御部３による発光部１５の発光制御を行うための上位側発光用プログラムが記憶されている。非正規のカード２が挿入口４から挿入されること、および、正規のカード２が間違った向きで挿入口４から挿入されることを「不適切なカード２の挿入」とし、厚み検知機構１６および幅検知機構１７での検知結果に基づいて不適切なカード２の挿入が検知されたときの発光部１５の発光制御を行うための上位側発光用プログラムを「上位側異常時発光用プログラム」とすると、本形態では、上位側異常時発光用プログラムが上位制御部１１に記憶されている。また、不適切なカード２の挿入が検知されていないときの発光部１５の発光制御を行うための上位側発光用プログラムを「上位側正常時発光用プログラム」とすると、上位側正常時発光用プログラムが上位制御部１１に記憶されている。一方で、初期状態の制御部３には、発光部１５の発光制御を行うためのプログラムは設定されていない。
【００３８】
上位制御部１１は、カード２の処理が開始される前の所定のタイミングで、設定コマンドによって、上位側異常時発光用プログラムに基づく異常時発光用プログラムを制御部３に設定する（ステップＳ１）。すなわち、上位制御部１１は、異常時発光用プログラムを制御部３に予め設定する。この状態で、厚み検知機構１６および／または幅検知機構１７によってカード２の挿入が検知されると（ステップＳ２において“Ｙｅｓ”になると）、制御部３は、厚み検知機構１６および幅検知機構１７での検知結果に基づいて、正規のカード２が正しい向きで挿入口４から挿入されたか否かを判断する（ステップＳ３）。すなわち、制御部３は、厚み検知機構１６および幅検知機構１７での検知結果に基づいて、不適切なカード２の挿入が検知されたか否かを判断する。
【００３９】
なお、本形態では、上位制御部１１は、ステップＳ１よりも前の所定のタイミングで、設定コマンドによって、上位側正常時発光用プログラムに基づく正常時発光用プログラムを制御部３に設定している（ステップＳ０）。厚み検知機構１６および／または幅検知機構１７によってカード２の挿入が検知される前の待機時には、制御部３は、正常時発光用プログラムに基づいて発光部１５の発光制御を行っている。たとえば、制御部３は、待機時において、発光部１５を青色で連続的に点灯させている。
【００４０】
ステップＳ３において、不適切なカード２の挿入が検知された場合には、制御部３は、正常時発光用プログラムを記憶する（ステップＳ４）。すなわち、ステップＳ３において、不適切なカード２の挿入が検知された場合には、制御部３は、厚み検知機構１６および幅検知機構１７での検知結果に基づいて不適切なカード２の挿入が検知される直前の正常時発光用プログラムを記憶する。
【００４１】
その後、制御部３は、ステップＳ１で予め設定された異常時発光用プログラムに基づいて発光部１５の発光制御を行う（ステップＳ５）。すなわち、厚み検知機構１６および幅検知機構１７での検知結果に基づいて不適切なカード２の挿入が検知されると、制御部３は、正常時発光用プログラムを記憶した後に、予め設定された異常時発光用プログラムに基づいて発光部１５の発光制御を行う。たとえば、制御部３は、発光部１５を赤色で断続的に点滅させる。
【００４２】
その後、非正規のカード２または間違った向きで挿入された正規のカード２が挿入口４から抜き取られて、不適切なカード２の挿入が検知されなくなると（ステップＳ６において“Ｙｅｓ”になると）、制御部３は、ステップＳ４において記憶した不適切なカード２の挿入が検知される直前の正常時発光用プログラムを読み出し、読み出した正常時発光用プログラムに基づいて発光部１５の発光制御を行う（ステップＳ７）。すなわち、厚み検知機構１６および幅検知機構１７での検知結果に基づいて、非正規のカード２または間違った向きで挿入された正規のカード２が挿入口４から抜き取られたことが検知されると、制御部３は、発光部１５の発光制御を、異常時発光用プログラムに基づく発光制御から、ステップＳ４において記憶した不適切なカード２の挿入が検知される直前の正常時発光用プログラムに基づく発光制御へ復帰させる。発光部１５の発光制御が正常時発光用プログラムに基づく発光制御に復帰すると、その後、ステップＳ２へ戻る。
【００４３】
一方、ステップＳ３において、正規のカード２が正しい向きで挿入口４から挿入された場合には、制御部３は、磁気ヘッド１８および金属検知機構１９での検知結果に基づいて、挿入されたカード２の磁気ストライプ２ａの有無およびＩＣ接点の有無が、カードリーダ１で処理されるべきカード２の条件と合致しているか否かを判断する（ステップＳ８）。たとえば、カードリーダ１で処理されるべきカード２が、磁気ストライプ２ａおよびＩＣ接点を有するカード２である場合には、ステップＳ８において、制御部３は、磁気ヘッド１８および金属検知機構１９での検知結果に基づいて、挿入されたカード２が磁気ストライプ２ａおよびＩＣ接点を備えているか否かを判断する。
【００４４】
ステップＳ８において、挿入されたカード２の磁気ストライプ２ａの有無およびＩＣ接点の有無が、カードリーダ１で処理されるべきカード２の条件と合致している場合には、制御部３は、カードリーダ１におけるカード２の処理を継続する（ステップＳ９）。具体的には、ステップＳ９では、カードリーダ１の内部にカード２を搬送して、磁気ヘッドやＩＣ接点ブロックによるデータの読取や記録等を行う。なお、ステップＳ９では、制御部３は、正常時発光用プログラムに基づいて発光部１５の発光制御を行っている。
【００４５】
一方、ステップＳ８において、挿入されたカード２の磁気ストライプ２ａの有無およびＩＣ接点の有無が、カードリーダ１で処理されるべきカード２の条件と合致していない場合には、ステップＳ６へ進み、制御部３は、厚み検知機構１６および幅検知機構１７での検知結果に基づいて、非正規のカード２または間違った向きで挿入された正規のカード２が挿入口４から抜き取られたか否かを判断する。
【００４６】
（本形態の主な効果）
以上説明したように、本形態では、上位制御部１１は、上位制御部１１に記憶された上位側異常時発光用プログラムに基づく異常時発光用プログラムおよび上位制御部１１に記憶された上位側正常時発光用プログラム基づく正常時発光用プログラムを制御部３に予め設定し、制御部３は、予め設定された異常時発光用プログラムや正常時発光用プログラムに基づいて発光部１５の発光制御を行っている。そのため、本形態では、制御部３に記憶されるファームウェアが共通でも、制御部３は、上位制御部１１によって設定された異常時発光用プログラムや正常時発光用プログラムに基づいて、発光部１５を様々な発光色や発光方法で光らせることが可能になる。すなわち、本形態では、制御部３に記憶されるファームウェアが共通でも、カード処理システム１０が設置される銀行等の顧客のニーズに応じた多様な発光色および発光方法で発光部１５を光らせることが可能になる。
【００４７】
本形態では、異常時発光用プログラムが制御部３に予め設定されており、厚み検知機構１６および幅検知機構１７での検知結果に基づいて不適切なカード２の挿入が検知されると、制御部３が異常時発光用プログラムに基づく発光部１５の発光制御を行う。そのため、本形態では、異常時発光用プログラムに基づく発光制御を直ちに開始することが可能になる。すなわち、異常時発光用プログラムが制御部３に予め設定されておらず、不適切なカード２の挿入が検知されたときに、上位制御部１１が発光部１５の発光制御を行う場合には、遅延時間が長くなり、異常時発光用プログラムに基づく発光部１５の発光制御を直ちに開始することができないが、本形態では、制御部３が異常時発光用プログラムに基づく発光部１５の発光制御を行うため、異常時発光用プログラムに基づく発光制御を直ちに開始することが可能になる。したがって、本形態では、カードリーダ１へカード２を挿入する利用者のカード操作に同期した発光部１５の発光制御を行うことが可能になる。
【００４８】
本形態では、制御部３は、厚み検知機構１６および幅検知機構１７での検知結果に基づいて不適切なカード２の挿入が検知されると、正常時発光用プログラムを記憶した後に、予め設定された異常時発光用プログラムに基づいて発光部１５の発光制御を行うとともに、非正規のカード２または間違った向きで挿入された正規のカード２が挿入口４から抜き取られると、不適切なカード２の挿入が検知される直前に記憶した正常時発光用プログラムを読み出し、読み出した正常時発光用プログラムに基づいて発光部１５の発光制御を行う。そのため、本形態では、非正規のカード２または間違った向きで挿入された正規のカード２が挿入口４から抜き取られた後、正常時発光用プログラムに基づく発光部１５の発光制御を直ちに開始することが可能になる。したがって、カードリーダ１へカード２を挿入する利用者のカード操作に同期した発光部１５の発光制御を行うことが可能になる。
【００４９】
なお、本形態において、たとえば、厚み検知機構１６および／または幅検知機構１７によってカード２の挿入が検知される前の待機時に、発光部１５を点灯させなくても良いし、発光部１５を緑色で連続的に点灯させても良い。本形態では、不適切なカード２の挿入が検知された場合、制御部３が、不適切なカード２の挿入が検知される直前の、発光部１５の発光制御の状態（正常時発光用プログラム）を記憶した後に、予め設定された異常時発光用プログラムに基づいて発光部１５の発光制御を行うため、顧客毎に正常時発光用プログラムが異なる場合であっても、複雑な発光プログラムを設定せずに不適切なカード２が検知される直前の発光制御の状態に戻すことが可能となる。すなわち、ファームウェアを共通にすることが可能になるとともに、顧客のニーズに応じたカードリーダ１の発光部１５の発光制御が可能になる。
【００５０】
（他の実施の形態）
上述した形態は、本発明の好適な形態の一例ではあるが、これに限定されるものではなく本発明の要旨を変更しない範囲において種々変形実施が可能である。
【００５１】
上述した形態では、上位制御部１１に、上位側異常時発光用プログラムが記憶され、ステップＳ１において、上位制御部１１は、上位側異常時発光用プログラムに基づく異常時発光用プログラムを制御部３に設定している。この他にもたとえば、不適切なカード２の挿入が検知されたとき以外の所定の状況において、発光部１５の発光制御を行うための上位側発光用プログラムが上位制御部１１に記憶され、ステップＳ１において、上位制御部１１がこの上位側発光用プログラムに基づく発光用プログラムを制御部３に設定しても良い。たとえば、カードリーダ１の内部にカード２が取り込まれて所定の処理が行われている状態で別のカード２が挿入口４から差し込まれたときの発光部１５の発光制御を行うための上位側発光用プログラムが上位制御部１１に記憶され、ステップＳ１において、上位制御部１１がこの上位側発光用プログラムに基づく発光用プログラムを制御部３に設定しても良い。この場合には、カードリーダ１の内部にカード２が取り込まれて所定の処理が行われている状態で別のカード２が挿入口４から差し込まれると、制御部３は予め設定されたこの発光用プログラムに基づいて発光部１５の発光制御を行う。
【００５２】
上述した形態では、上位制御部１１は、ステップＳ１よりも前の所定のタイミングで、設定コマンドによって、上位側正常時発光用プログラムに基づく正常時発光用プログラムを制御部３に設定している。この他にもたとえば、制御部３に記憶されたファームウェアの中に正常時発光用プログラムが最初から設定されていても良い。
【００５３】
上述した形態において、磁気ヘッド１８がカード搬送路の下面側のみに配置されている場合には、カード２がその裏面を下側に向けた状態で挿入口４から挿入されたのか、それとも、カード２がそのおもて面を下側に向けた状態で挿入口４から挿入されたのかを検知することが可能になる。また、金属検知機構１９が図２におけるカード搬送路の左端側に配置されている場合には、カード２が裏面を下側に向けた状態で、カード２の短手方向における一端２ｄ側から挿入されると、金属検知機構１９によってカード２の端子部２ｂが検知されるとともに、カード２がおもて面を下側に向けた状態で、カード２の短手方向における他端２ｅ側（図３参照）から挿入されると、金属検知機構１９によってカード２の端子部２ｂが検知される。そのため、磁気ヘッド１８での検知結果と金属検知機構１９での検知結果に基づいて、カード２の一端２ｄ側からカード２が挿入されたのか、それとも、カード２の他端２ｅ側からカード２が挿入されたのかを検知することが可能である。
【００５４】
したがって、幅検知機構１７を用いて、カード２の短手方向が前後方向と一致するようにカード２が挿入口４から挿入されたか否かを検知することに加えて、磁気ヘッド１８および金属検知機構１９を用いて、カード２が裏面を下側に向けた状態で挿入口４から挿入されたか否か、および、一端２ｄ側からカード２が挿入されたか否かを検知することで、カード２が正しい向きで挿入口４から挿入されたか否かを検知しても良い。この場合には、厚み検知機構１６、幅検知機構１７、磁気ヘッド１８および金属検知機構１９によって、正規のカード２が正しい向きで挿入口４から挿入されたことを検知するためのカード挿入検知機構が構成される。また、この場合には、図４に示すフローチャートにおいて、ステップＳ３で、正規のカード２が正しい向きで挿入口４から挿入されると、ステップＳ９へ進む。
【００５５】
上述した形態では、カード２は、厚さが０．７〜０．８ｍｍ程度の矩形状の塩化ビニール製のカードである。この他にもたとえば、カード２は、厚さが０．１８〜０．３６ｍｍ程度のＰＥＴ（ポリエチレンテレフタレート）カードであっても良いし、所定の厚さの紙カード等であっても良い。また、上述した形態では、カードリーダ１は、カード２の短手方向がカード２の挿入方向となるように挿入されたカード２に対するデータの読取や記録を行っているが、カードリーダ１は、カード２の長手方向がカード２の挿入方向となるように挿入されたカード２に対するデータの読取や記録を行っても良い。
【符号の説明】
【００５６】
１  カードリーダ
２  カード
３  制御部
４  挿入口
５  カード挿入部
１０  カード処理システム
１１  上位制御部
１５  発光部
１６  厚み検知機構（カード挿入検知機構の一部）
１７  幅検知機構（カード挿入検知機構の一部）
Ｘ１  カードの挿入方向
Ｖ  カードの短手方向
【図１】
2015170149.tif 000003
【図２】
2015170149.tif 000004
【図３】
2015170149.tif 000005
【図４】
2015170149.tif 000006